(57)【要約】【課題】レンズ保持部材のスムーズな移動を確保しつつ衝撃によるカム筒内への陥没を防ぐことができるレンズ鏡筒を提供する。【解決手段】カム筒３０、光軸方向Ｌに移動自在に案内されカム溝３２に挿入されるフォロアピン５２を有する前側レンズ保持部材としての第１のレンズ保持部材５０、第１のレンズ保持部材５０の後方において光軸方向Ｌに移動自在に案内された後側レンズ保持部材としての第２のレンズ保持部材６０を含むレンズ鏡筒において、規制突出部５３を第１のレンズ保持部材５０に第２のレンズ保持部材６０に当接するように形成する構成を採用した。これにより、第１のレンズ保持部材５０に加わる衝撃力が第２のレンズ保持部材６０により受止められてフォロアピン５２がカム溝３２から脱落するのを防止できる。【選択図】  図１１
2006072070.tif 000002
【特許請求の範囲】
【請求項１】
内周面にカム溝を有し回転によりカム作用を及ぼすカム筒と、前記カム筒の内側において光軸方向に移動自在に案内されかつ前記カム筒から繰り出し可能に配置され前記カム溝に挿入される複数のフォロアピンを有する前側レンズ保持部材と、前記カム筒の内側でかつ前記前側レンズ保持部材の後方において光軸方向に移動自在に案内され前記カム溝に挿入される複数のフォロアピンを有する後側レンズ保持部材と、を備え、
前記前側レンズ保持部材及び後側レンズ保持部材の一方から他方に当接するように形成されて前記前側レンズ保持部材のフォロアピンが前記カム溝から脱落するのを規制する規制突出部を有する、
ことを特徴とするレンズ鏡筒。
【請求項２】
前記規制突出部は、前記フォロアピンの近傍に位置するように形成されている、
ことを特徴とする請求項１に記載のレンズ鏡筒。
【請求項３】
前記規制突出部は、光軸を中心にもつ環状に形成されている、
ことを特徴とする請求項１又は２に記載のレンズ鏡筒。
【請求項４】
前記規制突出部は、光軸周りにおいて複数箇所に分かれて形成されている、
ことを特徴とする請求項１又は２に記載のレンズ鏡筒。
【請求項５】
前記規制突出部は、前記前側レンズ保持部材と後側レンズ保持部材のいずれか一方に形成されている、
ことを特徴とする請求項１ないし４のいずれかに記載のレンズ鏡筒。
【請求項６】
前記規制突出部の先端面及びその対向面の少なくとも一方には、光軸方向に伸びる突条が形成されている、
ことを特徴とする請求項１ないし５のいずれかに記載のレンズ鏡筒。
【請求項７】
前記規制突出部は、前記前側レンズ保持部材及び後側レンズ保持部材が相対的に移動可能な範囲内のいずれの位置においても前記前側レンズ保持部材又は後側レンズ保持部材に当接するように形成されている、
ことを特徴とする請求項１ないし６のいずれかに記載のレンズ鏡筒。
【請求項８】
前記前側レンズ保持部材が前記カム筒によって最も繰り出された状態において、前記前側レンズ保持部材のフォロアピンが当接し得る突出壁部を前記カム筒に形成した、
ことを特徴とする請求項１ないし７のいずれかに記載のレンズ鏡筒。
【発明の詳細な説明】
【技術分野】
【０００１】
本発明は、光軸方向においてレンズを移動させるレンズ鏡筒に関し、特に、繰り出し可能な鏡筒を備えるレンズ鏡筒に関する。
【背景技術】
【０００２】
広角及び望遠での撮影が行えるカメラに適用される従来のレンズ鏡筒としては、最も被写体側に配置されて第１レンズ群を保持する第１のレンズ保持部材、その後方に配置されて第２レンズ群を保持する第２のレンズ保持部材、第１及び第２のレンズ保持部材を光軸方向に案内するガイド筒、第１及び第２のレンズ保持部材を光軸方向に相対移動させるカム筒等を備えたものが知られている（例えば、特許文献１、２参照）。
このレンズ鏡筒においては、カム筒に形成されたカム溝に第１及び第２のレンズ保持部材に設けられたフォロアピンが挿入され、カム筒を回転させることによりフォロアピンがカム溝を摺動して第１及び第２のレンズ保持部材が光軸方向に相対移動するとともに、第１のレンズ保持部材はカム筒から繰り出される。
【０００３】
【特許文献１】特開平８−１１０４５４号公報
【特許文献２】特開平７−２７９６２号公報
【発明の開示】
【発明が解決しようとする課題】
【０００４】
ところで、上記従来のレンズ鏡筒においては、カム筒から繰り出された状態における第１のレンズ保持部材の前面に衝撃が加わった場合には、そのフォロアピンの近傍において第１のレンズ保持部材が変形し、フォロアピンがカム溝から外れる可能性がある。フォロアピンがカム溝から外れると、繰り出された第１のレンズ保持部材がカム筒内に陥没し、あるいは、ロックされた状態になってしまう。
一方、第１のレンズ保持部材の衝撃による変形を抑制するために、第１のレンズ保持部材の内周に第２のレンズ保持部材の外周を嵌合させることが考えられるが、嵌合による摺動摩擦が大きくなり、第１及び第２のレンズ保持部材をスムーズに相対移動させることが困難になる。
【０００５】
本発明は、上記の事情に鑑みて成されたものであり、その目的とするところは、レンズ保持部材のスムーズな移動を確保しつつ衝撃によるカム筒内への陥没を防止可能なレンズ鏡筒を提供することにある。
【課題を解決するための手段】
【０００６】
本発明のレンズ鏡筒は、内周面にカム溝を有し回転によりカム作用を及ぼすカム筒と、カム筒の内側において光軸方向に移動自在に案内されかつカム筒から繰り出し可能に配置されカム溝に挿入される複数のフォロアピンを有する前側レンズ保持部材と、カム筒の内側でかつ前側レンズ保持部材の後方において光軸方向に移動自在に案内されカム溝に挿入される複数のフォロアピンを有する後側レンズ保持部材と、を備え、前側レンズ保持部材及び後側レンズ保持部材の一方から他方に当接するように形成されて前側レンズ保持部材のフォロアピンがカム溝から脱落するのを規制する規制突出部を有する、ことを特徴としている。
この構成によれば、前側レンズ保持部材へ加わる衝撃力は、規制突出部を介して後側レンズ保持部材に伝わり、後側レンズ保持部材はこの力を受け止める。この結果、前側レンズ保持部材の変形を抑制できるので、前側レンズ保持部材のフォロアピンがカム溝から脱落するのを防止できる。
また、前側レンズ保持部材と後側レンズ保持部材とは、全体が密着嵌合するのではなく規制突出部により当接するので、摺動摩擦が増大せずに前側レンズ保持部材と後側レンズ保持部材とをスムーズに移動させることができる。
さらに、前側レンズ保持部材及び後側レンズ保持部材の間に規制突出部を設けることにより、両者間の隙間が小さくなり、前側レンズ保持部材と後側レンズ保持部材との間の傾きの発生を抑制できる。
【０００７】
上記構成において、規制突出部は、フォロアピンの近傍に形成されている、構成を採用できる。
この構成によれば、衝撃により変形しやすい前側レンズ保持部材のフォロアピンの近傍を、規制突出部を介して後側レンズ保持部材により受け止めるので、前側レンズ保持部材の変形をより効果的に防止できる。
【０００８】
上記構成において、規制突出部は、光軸を中心にもつ環状に形成されている、構成を採用できる。
この構成によれば、環状の突起が形成される前側レンズ保持部材あるいは後側レンズ保持部材自体の強度を全周に亘り高めることができる。
【０００９】
上記構成において、規制突出部は、光軸周りにおいて複数箇所に分かれて形成されている、構成を採用できる。
この構成によれば、レンズ保持部材の形状等に応じて規制突出部を形成することができる。
【００１０】
上記構成において、規制突出部は、前側レンズ保持部材と後側レンズ保持部材のいずれか一方に形成されている、構成を採用できる。
この構成によれば、前側レンズ保持部材は、カム溝からの脱落を防止すべきフォロアピンを有する前側レンズ保持部材自身の強度を高めることができ、また、後側レンズ保持部材は、規制突出部を形成することにより自身の強度も向上するので、前側レンズ保持部材を確実に受け止めることができる。
【００１１】
上記構成において、規制突出部の先端面及びその対向面の少なくとも一方には、光軸方向に伸びる突条が形成されている、構成を採用できる。
この構成によれば、規制突出部の先端面がその対向面と全面的に当接する場合に比べて摺動摩擦の発生を抑制できる。
【００１２】
上記構成において、規制突出部は、前側レンズ保持部材及び後側レンズ保持部材が相対的に移動可能な範囲内のいずれの位置においても前側レンズ保持部材又は後側レンズ保持部材に当接するように形成されている、
この構成によれば、たとえば、広角及び望遠のいずれの撮影位置においても前側レンズ保持部材の陥没を防ぐことができる。また、広角撮影位置と望遠撮影位置との間で前側レンズ保持部材と後側レンズ保持部材との間の隙間が小さくなるので両者間の傾きの発生を抑制できる。
【００１３】
上記構成において、前側レンズ保持部材がカム筒によって最も繰り出された状態において、前側レンズ保持部材のフォロアピンが当接し得る突出壁部をカム筒に形成した、構成を採用できる。
この構成によれば、カム筒から繰り出された状態の前側レンズ保持部材に落下等により押し込む力が加わったときにフォロアピンと突出壁部とが当接して、フォロアピンがカム溝から脱落するのを防止できる。
【発明の効果】
【００１４】
本発明によれば、前側及び後側レンズ保持部材のスムーズな相対移動を確保しつつ、衝撃等によるフォロアピンのカム溝からの脱落を防止できて、前側レンズ保持部材がカム筒内へ陥没しあるいはロックするのを防止でき、又、前側及び後側レンズ保持部材間の傾きの発生を抑制でき、機能上の信頼性を向上させることができる。
【発明を実施するための最良の形態】
【００１５】
以下、本発明の最良の実施形態について、添付図面を参照しつつ説明する。
図１ないし図１１は本発明に係るレンズ鏡筒を組み込んだレンズ駆動装置の一実施形態を示すものであり、図１は駆動機構を含む装置の断面図、図２および図３はレンズ鏡筒部分の断面図、図４はカム筒の側面図及び正面図、図５はカム筒の内周面の展開図、図６はガイド筒の側面図及び断面図、図７は第１のレンズ保持部材の側面図及び断面図、図８は第２のレンズ保持部材の側面図及び正面図、図９はレンズ鏡筒部分の断面図、図１０は第３のレンズ保持部材の側面図及び正面図、及び図１１は突出部の作用を説明するための断面図である。
【００１６】
この装置は、図１ないし図３に示すように、ローパスフィルタ１１及び撮像素子としてのＣＣＤ１２が取り付けられたベース１０、ベース１０に固定されたカバー２０、カバー２０に回転自在に支持されたカム筒３０、カム筒３０の内側に設けられたガイド筒４０、レンズＧ１を保持しカム筒３０の内側において光軸方向Ｌに移動自在に案内された前側レンズ保持部材としての第１のレンズ保持部材５０、カム筒３０の内側の第１のレンズ保持部材５０の後方においてレンズＧ２を保持し光軸方向Ｌに移動自在に案内された後側レンズ保持部材としての第２のレンズ保持部材６０、カム筒３０の内側の第２のレンズ保持部材６０の後方においてレンズＧ３を保持し光軸方向Ｌに移動自在に案内された第３のレンズ保持部材７０、第３のレンズ保持部材７０の後方においてレンズＧ４を保持しベース１０に対して光軸方向に移動自在に支持された第４のレンズ保持部材８０、カム筒３０を駆動する駆動機構９０、第４のレンズ保持部材８０を駆動する駆動機構１００等を備えている。
【００１７】
この装置においてレンズＧ１は第１レンズ群、レンズＧ２は第２レンズ群、レンズＧ３は第３レンズ群、レンズＧ４は第４レンズ群をそれぞれ形成し、被写体光が光軸方向ＬからレンズＧ１に進入し、レンズＧ２ないしＧ４を経てＣＣＤ１２に到達する。
そして、第１ないし第４レンズ群が光軸方向Ｌにおいて相対的に移動させられることにより、ＣＣＤ１２の結像面に対して被写体のズーミング及びフォーカシングが行われる。
【００１８】
カム筒３０は、図１ないし図５に示すように、樹脂材料により円筒状に形成されており、カバー２０に形成された円筒状の固定筒部２１の内側に回転自在に配置されている。
カム筒３０の外周面３０ａには、駆動機構９０から回転駆動力が伝えられる円弧状のラック部３１が形成されている。
カム筒３０の内周面３０ｂには、図２，図３及び図５に示すように、光軸方向Ｌにおいて第１のレンズ保持部材５０にカム作用を及ぼす３つのカム溝３２、光軸方向Ｌにおいて第２のレンズ保持部材６０にカム作用を及ぼす３つのカム溝３３、光軸方向Ｌにおいて第３のレンズ保持部材７０にカム作用を及ぼす３つのカム溝３４が形成されている。カム溝３２，３３，３４は、断面形状が略Ｖ字状に形成されている。
また、内周面３０ｂには、図５に示すカム溝３２の直線状に伸びる部分３２ｓに隣接して第１のレンズ保持部材５０の後述するフォロアピン５２がカム溝３２から脱落するのを阻止するための３つの突出壁部３５が形成されている。この突出壁部３５は、カム筒３０から繰り出された状態の第１のレンズ保持部材５０に落下等により押し込む力が加わったときにフォロアピン５２と当接してカム溝３２からの脱落を防ぐ役割を果たす。
【００１９】
ガイド筒４０は、図１〜図３及び図６に示すように、第１〜第３のレンズ保持部材５０，６０，７０とカム筒３０との間に配置されて、第１〜第３のレンズ保持部材５０、６０、７０の回転を規制しつつ光軸方向Ｌへ往復動自在に案内するものである。すなわち、ガイド筒４０は、第１及び第２のレンズ保持部材５０、６０の後述するフォロアピン５２、６２をそれぞれ受け入れて光軸方向Ｌに案内する３つのガイド孔４１、第３のレンズ保持部材７０の後述するフォロアピン７２を受け入れて光軸方向Ｌに案内する３つのガイド孔４２、カム筒３０の内周面３０ｂに形成された環状溝３０ｃに掛止される３つの掛止爪４３、後端部に形成された固定用のフランジ４４等を備えている。
尚、ガイド孔４１，４２は、光軸周りの等間隔位置に形成されると共に、光軸方向Ｌに伸長する長孔形状に形成されている。また、フランジ４４はベース１０に固定される。
【００２０】
ガイド孔４１は、カム筒３０が回転すると、カム溝３２，３３によりカム作用を及ぼされる後述するフォロアピン５２，６２を光軸方向Ｌにおいてのみ往復動自在に案内し、ガイド孔４２は、カム溝３４によりカム作用を及ぼされる後述するフォロアピン７２を光軸方向Ｌにおいてのみ往復動自在に案内する。
【００２１】
第１のレンズ保持部材５０は、図１〜図３、図７及び図９に示すように、樹脂材料により略円筒状に形成され、レンズＧ１を保持すると共に、カム溝３２に挿入される３つのフォロアピン５２、規制突出部としての環状の突出部５３、突出部５３の先端面５３ａにそれぞれ形成された３つの突条５４等を備えている。
【００２２】
フォロアピン５２は、第１のレンズ保持部材５０の光軸方向Ｌにおける後端部の外周面５０ａに固定されており、その先端部がカム溝３２の断面形状に相応するように先細りの円錐形状に形成され、ガイド孔４１を通じてカム溝３２に挿入されている。
突出部５３は、第１のレンズ保持部材５０の内周面５０ｂから第２のレンズ保持部材６０の後述する外周面６０ａに向けて突出すると共に光軸を中心にもつ環状に形成されている。突出部５３を環状に形成することにより、第１のレンズ保持部材５０自体の強度を全周に亘り高めることができる。また、突出部５３は、光軸方向Ｌにおいてフォロアピン５２の近傍であってフォロアピン５２より前側に形成されている。突出部５３をフォロアピン５２の近傍に形成することにより、衝撃を受けたときに変形しやすいフォロアピン５２の近傍を効果的に補強できる。
突条５４は、突出部５３の先端面５３ａから突出して光軸方向Ｌに伸びるようにそれぞれ形成されて第２のレンズ保持部材６０の後述する突条６４に当接する。尚、突条５４は、先端面５３ａにおけるフォロアピン５２に対応する位置に形成されている。
【００２３】
第２のレンズ保持部材６０は、図１〜図３、図８及び図９に示すように、樹脂材料により略円筒状に形成され、レンズＧ２を保持すると共に、光軸方向Ｌの後端部から後方に伸びる３つの突出片６１、突出片６１に固定されカム溝３３に挿入される３つのフォロアピン６２、外周面６０ａに形成された３本の突条６４等を備えている。
フォロアピン６２は、その先端部がカム溝３３の断面形状に相応するように先細りの円錐形状に形成され、ガイド孔４１を通じてカム溝３３に挿入されている。
３本の突条６４は、対向面としての外周面６０ａにおける３本の突条５４にそれぞれ当接する位置に形成されているとともに、第１のレンズ保持部材５０の３つのフォロアピン５３に対応する位置に形成されている。
【００２４】
第３のレンズ保持部材７０は、図１〜図３及び図１０に示すように、樹脂材料により略円筒状に形成され、レンズＧ３を保持すると共に、外周面７０ａに固定されガイド孔４２を通じてカム溝３４に挿入される３つのフォロアピン７２等を備えている。なお、第３のレンズ保持部材７０には、光軸周りにおいて３箇所に切り欠き部７３，７４，７５が形成されている。これらの切り欠き部７３，７４，７５は、干渉防止のため、駆動機構１００や後述するガイドロッド８３，８４が挿入可能となっている。
【００２５】
第４のレンズ保持部材８０は、図１ないし図３に示すように、樹脂材料により形成され、レンズＧ４を保持すると共に、ガイドロッド８３，８４により光軸方向Ｌに移動自在に案内され、駆動機構１００により光軸方向Ｌに駆動される。また、第４のレンズ保持部材８０は、スプリング８５によりベース１０側に向けて付勢されている。
駆動機構１００は、カム筒３０の内側に配置されたステッピングモータ１０１、ステッピングモータ１０１により駆動されるリードスクリュー１０２、第４のレンズ保持部材８０に保持されリードスクリュー１０２に螺合するナット１０３等から構成され、第４のレンズ保持部材８０を光軸方向Ｌに前進及び後退させて合焦動作（フォーカシング）を行う。
【００２６】
駆動機構９０は、図１に示すように、モータ９１、複数の歯車９２Ａ〜９２Ｋからなる歯車列９２、モータ９１の回転位置を検出する回転位置検出器９５等を備えている。
歯車９２Ａはモータ９１の回転軸に固定され、歯車９２Ｂ，９２Ｃ、歯車９２Ｄ，９２Ｅ、歯車９２Ｆ，９２Ｇ、歯車９２Ｈ，９２Ｉ及び歯車９２Ｊ，９２Ｋはそれぞれ一体的に形成され、歯車９２Ａ〜９２Ｋの順に噛合し、最終段の歯車９２Ｋがカム筒３０のラック部３１に噛合している。これにより、モータ９１の回転が減速されてカム筒３０に伝達される。
【００２７】
次に、上記レンズ駆動装置の動作について図１〜図３及び図５を参照して説明する。
先ず、図１に示すように、第１のレンズ保持部材５０が沈胴した状態（沈胴位置）において、第１のレンズ保持部材５０における突出部５３の３本の突条５４は、第２のレンズ保持部材６０の３本の突条６４にそれぞれ当接している。
この沈胴位置から、モータ９１が一方向に回転すると、歯車列９２を介して、カム筒３０が回転する。カム筒３０の回転により、フォロアピン５２，６２，７２はそれぞれカム溝３２，３３，３４とガイド筒４０のガイド孔４１，４２に案内され、第１〜第３のレンズ保持部材５０，６０，７０はそれぞれ光軸方向Ｌの前方に向けて移動し、図２に示すような広角端撮影位置に至る。このとき、第１のレンズ保持部材５０と第２のレンズ保持部材６０は、突条５４と突条６４とが摺動しながら相対的に移動する。第１及び第２のレンズ保持部材５０，６０間においては、突条５４及び突条６４のみが摺動するので摺動摩擦が小さく、スムーズに相対移動が可能である。
この広角端撮影位置において、第１のレンズ保持部材５０はカム筒３０の前端部から最も繰り出された状態（繰り出し位置）にあり、第１のレンズ保持部材５０のフォロアピン５２は、カム筒３０の突出壁部３５に対向している。
【００２８】
上記広角端撮影位置から、モータ９１が一方向にさらに回転すると、歯車列９２を介して、カム筒３０が同方向にさらに回転し、フォロアピン５２，６２，７２はそれぞれカム溝３２，３３，３４に案内され、第２のレンズ保持部材６０は、光軸方向の後方に向けて移動し、第３のレンズ保持部材７０は光軸方向Ｌの前方に向けて移動し、第１のレンズ保持部材５０は繰り出し位置に留まり、図３に示すような望遠端撮影位置に至る。このときも、第１のレンズ保持部材５０と第２のレンズ保持部材６０は、突条５４と突条６４とが摺動しながら相対的に移動する。また、第１のレンズ保持部材５０のフォロアピン５２は、望遠端撮影位置においても、カム筒３０の突出壁部３５に対向している
尚、広角端撮影位置から望遠端撮影位置に至るいずれの撮影位置においても、第４のレンズ保持部材８０は、ステッピングモータ１０１の回転により光軸方向Ｌに駆動され、フォーカシングが行われる。
【００２９】
尚、モータ９０が逆回転すると、歯車列９２を介してカム筒３０は逆向きに回転し、第１〜第３のレンズ保持部材５０，６０，７０は望遠端撮影位置から逆の経路を辿って、広角端撮影位置、沈胴位置へと移動する。また、第４のレンズ保持部材８０も、ステッピングモータ１０１の回転により光軸方向Ｌに駆動されて、所定の位置に移動する。
【００３０】
次に、繰り出し位置にある第１のレンズ保持部材５０が衝撃力を受けた場合の作用について図１１を参照して説明する。
上記広角端撮影位置と望遠端撮影位置との間において、第１のレンズ保持部材５０の前面に衝撃が加わると、図１１に示すように、光軸方向Ｌの力Ｆ１が第１のレンズ保持部材５０に作用する。力Ｆ１が第１のレンズ保持部材５０に作用すると、カム溝３２とフォロアピン５２の相互作用により第１のレンズ保持部材５０のフォロアピン５２の近傍を内側に向けて変形させようとする力Ｆ２が作用する。このとき、突出部５３の突条５４と第２のレンズ保持部材６０の突条６４とは当接しているので、力Ｆ２は第２のレンズ保持部材６０により受け止められる。これにより、第１のレンズ保持部材５０は変形せず、フォロアピン５２が突出壁部３５を乗り越えてカム溝３２から脱落するのを防ぐことができ、衝撃による第１のレンズ保持部材５０の陥没あるいはロックを防止できる。特に、規制突出部としての突出部５３は、フォロアピン３２の近傍に形成されているので、第２のレンズ保持部材６０は力Ｆ２を確実に受け止め可能である。
また、突出部５３の突条５４と第２のレンズ保持部材６０の突条６４とは、第１及び第２のレンズ保持部材５０，６０が相対的に移動可能な範囲内のいずれの位置においても当接しているので、広角端撮影位置と望遠端撮影位置との間のいずれの位置においても衝撃により第１のレンズ保持部材５０が陥没するのを防止できる。
さらに、本実施形態によれば、突出部５３の突条５４と第２のレンズ保持部材６０の突条６４とは当接しているので、第１のレンズ保持部材５０が保持するレンズＧ１の光軸が第２のレンズ保持部材６０が保持するレンズＧ２の光軸に対して傾くのを抑制できる。
【００３１】
図１２及び図１３は、本発明のレンズ鏡筒の他の実施形態を示すものであって、図１１は第２のレンズ保持部材の構造を示す図及び図１２は第１及び第２のレンズ保持部材の関係を示す断面図である。なお、図１２及び図１３において、上述した実施形態と同一構成部分については同一の符号を使用している。
第２のレンズ保持部材１６０は、図１２に示すように、円筒状の外周面６０ａから突出した規制突出部としての環状の突出部１６３を有する。突出部１６３は、図１３に示すように、その先端面１６３ａが第１のレンズ保持部材５０の円筒状の内周面５０ｂに当接していると共に、フォロアピン５２の近傍に位置している。
【００３２】
上記した繰り出し位置において、第１のレンズ保持部材５０の前面側に衝撃が加わると、図１３に示すように、光軸方向Ｌの力Ｆ１が第１のレンズ保持部材５０に作用する。第１のレンズ保持部材５０に光軸方向Ｌの力Ｆ１が作用すると、力Ｆ１がカム溝３２とフォロアピン５２の相互作用により第１のレンズ保持部材５０のフォロアピン５２の近傍を内側に向けて変形させようとする力Ｆ２が作用する。このとき、第１のレンズ保持部材５０の内周面５０ｂは、突出部１６３の先端面１６３ａに当接しているので、力Ｆ２は第２のレンズ保持部材６０により受け止められる。これにより、第１のレンズ保持部材５０が変形しフォロアピン５２が突出壁部３５を乗り越えてカム溝３２から脱落するのを防ぐことができ、衝撃により第１のレンズ保持部材５０が陥没するのを防止できる。
また、本実施形態によれば、第２のレンズ保持部材１６０に環状の突出部１６３を形成するので、第２のレンズ保持部材１６０自身の強度を高めることができ、第１のレンズ保持部材５０を変形させようとする力を確実に受け止めることが可能となる。
尚、本実施形態においても、突出部１６３の先端面１６３ａおよび内周面５０ｂに互いに当接する突条を形成することも可能である。
【００３３】
図１４は、本発明のレンズ鏡筒のさらに他の実施形態に係る第１のレンズ保持部材の構造を示す図である。なお、図１４において、図１〜図１１において説明した実施形態と同一の構成部分については同一の符号を使用している。
図１〜図１１において説明した第１のレンズ保持部材５０は、環状に形成された規制突出部５３を備える構成としたが、図１４に示す第１のレンズ保持部材１５０は、規制突出部としての突出部１５３が第１のレンズ保持部材１５０の内周面５０ｂの光軸周りにおいて複数箇所に分かれて形成された構成となっている。また、複数の突出部１５３は、光軸周りにおいて、フォロアピン５２にそれぞれ対応する位置に形成されている。
【００３４】
本実施形態では、突出部１５３を光軸周りにおいて複数箇所に分けて形成することにより、環状に形成した場合に比べて、第１のレンズ保持部材１５０の内周に第２のレンズ保持部材の外周を嵌合させやすいと共に、第１のレンズ保持部材１５０の形状等に応じて突出部１５３を形成しやすい。また、突出部１５３を変形の生じやすい箇所にのみ選択的に形成することで、第１のレンズ保持部材５０と第２のレンズ保持部材６０の間の摺動摩擦を低減できると共に、装置の軽量化も可能となる。
尚、本実施形態においても、突出部１６３の先端面１６３ａおよび内周面５０ｂに互いに当接する突条を形成することも可能である。また、複数の規制突出部を第２のレンズ保持部材６０に形成することも可能である。
【００３５】
上記実施形態においては、規制突出部を環状に形成した場合あるいは光軸周りにおいて複数箇所に形成した場合について説明したが、これに限定されるものではなく、規制突出部を光軸方向において複数箇所に形成することも可能である。
また、上記実施形態においては、突条を突出部の先端面及びこれに対向する対向面に形成した場合について説明したが、これに限定されるものではなく、先端面及びこれに対向する対向面の一方にのみ形成することも可能であり、又、突条を形成せずに、先端面とこれに対向する対向面を当接させることも可能である。
【産業上の利用可能性】
【００３６】
以上述べたように、本発明のレンズ鏡筒は、ディジタルスチルカメラ、ディジタルビデオカメラ等に搭載されるのは勿論のこと、銀塩フィルム式のカメラにおいても同様に適用できる。
【図面の簡単な説明】
【００３７】
【図１】本発明に係る駆動装置を備えたレンズ鏡筒の一実施形態を示す断面図である。
【図２】広角端撮影位置にあるレンズ鏡筒の断面図である。
【図３】望遠端撮影位置にあるレンズ鏡筒の断面図である。
【図４】（ａ）はカム筒の側面図、（ｂ）はカム筒の正面図である。
【図５】カム筒の内周面におけるカム溝の構成を示す展開図である。
【図６】（ａ）はガイド筒の側面図、（ｂ）は（ａ）におけるＥ−Ｅ線方向の断面図である。
【図７】（ａ）は第１のレンズ保持部材の側面図、（ｂ）は（ａ）におけるＦ１−Ｆ１線方向の断面図、（ｃ）は（ａ）におけるＦ２−Ｆ２線方向の断面図である。
【図８】（ａ）は第２のレンズ保持部材の側面図、（ｂ）は第２のレンズ保持部材の正面図である。
【図９】カム筒、ガイド筒、第１のレンズ保持部材及び第２のレンズ保持部材の関係を示す断面図である。
【図１０】（ａ）は第３のレンズ保持部材の側面図、（ｂ）は第３のレンズ保持部材の正面図である。
【図１１】繰り出し位置にある第１のレンズ保持部材におけるフォロアピン周辺の構造を示す断面図である。
【図１２】本発明の他の実施形態に係るレンズ鏡筒における第２のレンズ保持部材の構造を示すものであって、（ａ）は側面図、（ｂ）は正面図である。
【図１３】本発明の他の実施形態に係る第１のレンズ保持部材におけるフォロアピン周辺の構造を示す断面図である。
【図１４】本発明のさらに他の実施形態に係るレンズ鏡筒における第１のレンズ保持部材の構造を示すものであって、（ａ）は側面図、（ｂ）は（ａ）のＨ−Ｈ線方向の断面図である。
【符号の説明】
【００３８】
Ｌ…光軸
１０…ベース
２０…カバー
３０…カム筒
３１…ラック部
３５…突出壁部
３２，３３，３４…カム溝
４０…ガイド筒
４１，４２…ガイド孔
５０…第１のレンズ保持部材（前側レンズ保持部材）
５２…フォロアピン
５３…突出部（規制突出部）
５４…突条
６０，１６０…第２のレンズ保持部材（後側レンズ保持部材）
６０ａ…外周面（対向面）
６２…フォロアピン
６４…突条
７０…第３のレンズ保持部材
７２…フォロアピン
８０…第４のレンズ保持部材
８５…スプリング
９０…駆動機構
９１…モータ
９２…歯車列
１００…駆動機構
１０１…ステッピングモータ
１０２…リードスクリュー
１０３…ナット
Ｇ１，Ｇ２，Ｇ３，Ｇ４…レンズ
【図１】
2006072070.tif 000003
【図２】
2006072070.tif 000004
【図３】
2006072070.tif 000005
【図４】
2006072070.tif 000006
【図５】
2006072070.tif 000007
【図６】
2006072070.tif 000008
【図７】
2006072070.tif 000009
【図８】
2006072070.tif 000010
【図９】
2006072070.tif 000011
【図１０】
2006072070.tif 000012
【図１１】
2006072070.tif 000013
【図１２】
2006072070.tif 000014
【図１３】
2006072070.tif 000015
【図１４】
2006072070.tif 000016